(57)【要約】  【課題】マルチ型の空気調和機で暖房運転している室内機と、サーモオフとなった室内機の組み合わせが発生した場合、サーモオフとなった室内機の室温を正確に判断し、また、室温を検出するための室内ファンの運転期間を出来るだけ短くする。  【解決手段】暖房運転時にサーモオフしている第３室内機２ｃの室温検出部２０は、単位時間（２０秒）毎に第３室温センサ９ｃで検出した室温の温度傾斜が、予め定めた温度差以内になるまで第３室内ファン１０ｃを回転させた後に第３室温センサ９ｃで室温を検出するため、サーモオフとなった第３室内機２ｃで室温を検出するための第３室内ファン１０ｃの運転期間を出来るだけ短くすることができる。【選択図】図１
2020051629.tif 000002
【特許請求の範囲】
【請求項１】
室内熱交換器と、室内ファンと、前記室内ファンにより送風される空気が流れる通風路において前記室内熱交換器よりも風上側に備えられて室温を検出する室温センサと、サーモオフ時における室温検出のために前記室内ファンを回転させる室温検出手段とをそれぞれ備えた複数の室内機と、室外機とを備えたマルチ型空気調和機であって、
前記室内機の少なくとも1台が暖房運転しているときで、かつ、その他の室内機のうち少なくとも1台がサーモオフの場合、
サーモオフしている前記室内機の室温検出手段は、単位時間毎に前記室温センサで検出した室温の温度傾斜が予め定めた温度差閾値以内になるまで前記送風ファンを回転させた後、前記室温センサで室温を検出することを特徴とするマルチ型空気調和機。
【請求項２】
前記室温検出手段は、前記室温センサで室温を検出すると共に、前記送風ファンを停止させることを特徴とする請求項１記載のマルチ型空気調和機。
【発明の詳細な説明】
【技術分野】
【０００１】
本発明は、マルチ型空気調和機に係わり、より詳細には、暖房運転時のサーモオフ期間中における室温の誤検出防止に関する。
【背景技術】
【０００２】
従来、マルチ型の空気調和機で複数の室内機を暖房運転している場合、少なくとも1台の室内機が運転中にサーモオフとなる場合がある。サーモオフとなった室内機は再度サーモオンにするか否かを判断するために室温の低下を監視している。
【０００３】
サーモオフとなった室内機に対応する電子膨張弁は、冷媒経路において室内熱交換器の下流側に位置する。この電子膨張弁を閉じると室内熱交換器に冷媒が滞留し、冷凍サイクルとして冷媒不足となる。この冷媒不足を防止するため、サーモオフとなった室内機の電子膨張弁を微かに開いて冷媒を流し、冷媒不足を防ぐ方法が知られている。
【０００４】
しかし、この方法ではサーモオフとなった室内機に高温の冷媒が流れることになる。そのため、通風路において室内熱交換器よりも風上側に配置された温度センサで室温を検出した場合、高温の冷媒の影響により実際の室温よりも高い温度を検出してしまう。このため、正確な温度を検出できない問題が生じる。これを解消するため室内機は室温を検出する前に一定期間だけ室内ファンを回転させて送風し、室内機の筐体内に滞留した暖かい空気を排出する必要があった（例えば特許文献１参照）。
【０００５】
この室内ファンを回転させる時間は設定温度や住環境などが最大の負荷となる条件を考慮して十分な長さに決定されている。しかし、これらの条件によってはすでに室内機内の排熱が完了して正確な室温が検出できているにもかかわらず室内ファンの回転を継続させ、無駄に電力を消費してしまう場合があった。
【先行技術文献】
【特許文献】
【０００６】
【特許文献１】特開２０１３−２１７５５０号公報（段落番号０００２〜０００３）
【発明の概要】
【発明が解決しようとする課題】
【０００７】
本発明は以上述べた問題点を解決し、マルチ型の空気調和機で、暖房運転している室内機と、サーモオフとなった室内機の組み合わせが発生した場合、サーモオフとなった室内機の室温を正確に判断し、また、室温を検出するための室内ファンの運転期間を出来るだけ短くすることを目的とする。
【課題を解決するための手段】
【０００８】
本発明は上述の課題を解決するため、本発明の請求項１に記載の発明は、
室内熱交換器と、室内ファンと、前記室内ファンにより送風される空気が流れる通風路において前記室内熱交換器よりも風上側に備えられて室温を検出する室温センサと、サーモオフ時における室温検出のために前記室内ファンを回転させる室温検出手段とをそれぞれ備えた複数の室内機と、室外機とを備えたマルチ型空気調和機であって、
前記室内機の少なくとも1台が暖房運転しているときで、かつ、その他の室内機のうち少なくとも1台がサーモオフの場合、
サーモオフしている前記室内機の室温検出手段は、単位時間毎に前記室温センサで検出した室温の温度傾斜が予め定めた温度差閾値以内になるまで前記送風ファンを回転させた後、前記室温センサで室温を検出することを特徴とする。
【０００９】
また、本発明の請求項２に記載の発明は、
前記室温検出手段は、前記室温センサで室温を検出すると共に、前記送風ファンを停止させることを特徴とする。
【発明の効果】
【００１０】
以上の手段を用いることにより、本発明によるマルチ型の空気調和機によれば、サーモオフとなった室内機の室温を正確に判断することができる。また、室温を検出するための室内ファンの運転期間を短くすることができる。
【図面の簡単な説明】
【００１１】
【図１】本発明によるマルチ型空気調和機の実施例を示す冷凍サイクルのブロック図である。
【図２】本発明の原理を説明する説明図である。
【図３】室温検出部を示すブロック図である。
【図４】室温検出部の動作を説明する説明図である。
【発明を実施するための形態】
【００１２】
以下、本発明の実施の形態を、添付図面に基づいた実施例として詳細に説明する。
【実施例１】
【００１３】
図１は本発明によるマルチ型空気調和機４０の実施例を示す冷凍サイクルのブロック図である。
マルチ型空気調和機４０は室外機１と第1室内機２ａと第２室内機２ｂと第３室内機２ｃを備えており、室外機１と各室内機は、室外機１に備えられた液側操作弁１４とガス側操作弁１５を介して冷媒回路が接続されている。
【００１４】
室外機１は、冷媒を圧縮するインバータ駆動の圧縮機３と、冷媒の循環方向を切り換える四方弁４と、冷媒と外気とを熱交換させる室外熱交換器５と、室外熱交換器５に流れる冷媒量を調整する室外電子膨張弁６と、液冷媒を貯留するレシーバ１６と、圧縮機３に吸入される冷媒の中から液成分を分離し、ガス成分のみを圧縮機３に吸入させるアキュムレータ１２と、液側操作弁１４と、ガス側操作弁１５と、室外機制御部１３を備えている。
【００１５】
室外機１側の上記各機器は、吐出管１７ａ、室外機ガス管１８ｃ、室外機液管１８ａ、室外機ガス管１８ｂ、室外機ガス管１７ｃ、吸入管１７ｂ等の冷媒管を介して接続され、室外機１の冷媒回路を構成している。また、室外機１には、室外熱交換器５に対して外気を送風する室外ファン５ａが設けられている。
【００１６】
ガス管１９ａおよび液管１９ｂは、室外機１のガス側操作弁１５および液側操作弁１４にそれぞれ接続される冷媒管であり、現場での据え付け施工時に室外機１とそれに接続される第1室内機２ａ、第２室内機２ｂ、第３室内機２ｃの間の距離に応じてその長さが設定されるようになっている。ガス管１９ａおよび液管１９ｂの途中には、図示しない分配器が設けられ、この分配器を介して室外機１と第1室内機２ａ、第２室内機２ｂ、第３室内機２ｃのそれぞれが接続されている。これによって、密閉された１系統の冷凍サイクルが構成されている。
【００１７】
第３室内機２ｃは、冷媒と室内空気とを熱交換させて調和空気を生成する第３室内熱交換器８ｃと、第３室内電子膨張弁７ｃと、室内空気を吸い込み第３室内熱交換器８ｃを通して室内に送風する第３室内ファン１０ｃと、第３室内ファン１０ｃを回転させる第３ファンモータ３１ｃと、第３室内ファン１０ｃにより送風される空気が流れる図示しない通風路において第３室内熱交換器８ｃよりも風上側に配置された第３室温センサ９ｃと、これらを制御する第３室内機制御部１１ｃを備えている。そして、第３室内熱交換器８ｃの一端はガス管１９ａに接続され、第３室内熱交換器８ｃの他端は第３室内電子膨張弁７ｃを介して液管１９ｂに接続されている。
【００１８】
なお、第1室内機２ａと第２室内機２ｂと第３室内機２ｃは同じ冷媒回路を備えている。
第２室内機２ｂは、冷媒と室内空気とを熱交換させて調和空気を生成する第２室内熱交換器８ｂと、第２室内電子膨張弁７ｂと、室内空気を吸い込み第２室内熱交換器８ｂを通して室内に送風する第２室内ファン１０ｂと、第２室内ファン１０ｂを回転させる第２ファンモータ３１ｂと、第２室内ファン１０ｂにより送風される空気が流れる図示しない通風路において第２室内熱交換器８ｂよりも風上側に配置された第２室温センサ９ｂと、これらを制御する第２室内機制御部１１ｂを備えている。そして、第２室内熱交換器８ｂの一端はガス管１９ａに接続され、第２室内熱交換器８ｂの他端は第２室内電子膨張弁７ｂを介して液管１９ｂに接続されている。
【００１９】
同様に第１室内機２ａは、冷媒と室内空気とを熱交換させて調和空気を生成する第１室内熱交換器８ａと、第１室内電子膨張弁７ａと、室内空気を吸い込み第１室内熱交換器８ａを通して室内に送風する第１室内ファン１０ａと、第１室内ファン１０ａを回転させる第１ファンモータ３１ａと、第１室内ファン１０ａにより送風される空気が流れる図示しない通風路において第１室内熱交換器８ａよりも風上側に配置された第１室温センサ９ａと、これらを制御する第１室内機制御部１１ａを備えている。そして、第１室内熱交換器８ａの一端はガス管１９ａに接続され、第１室内熱交換器８ａの他端は第１室内電子膨張弁７ａを介して液管１９ｂに接続されている。
【００２０】
上記構成において、第３室内機制御部１１ｃは室温が設定温度になったら第３室内機２ｃの空調運転を停止する。これをサーモオフと呼称する。また、第３室内機制御部１１ｃは室温が設定温度より低下したら第３室内機２ｃの空調運転を再開する。これをサーモオンと呼称する。
【００２１】
一方、第３室内機２ｃの第３室内機制御部１１ｃは、室温を検出する室温検出部（室温検出手段）２０と、第３室内機２ｃがサーモオフとなった時、次にサーモオンとするために室温が設定温度よりも一定以上乖離した時を監視するサーモオフ管理部３０を備えている。そして、室温検出部２０は、第３ファンモータ３１ｃへモータ駆動信号を出力し、また、第３室温センサ９ｃで検出した温度を示す室温信号が入力され、さらに、サーモオフ管理部３０から室温要求信号が入力されている。また、室温検出部２０は室温要求信号に対応して検出した室温である検出室温値信号をサーモオフ管理部３０へ出力する。なお、第３室内機制御部１１ｃと第２室内機制御部１１ｂと第１室内機制御部１１ａは同じ構成のため、第２室内機制御部１１ｂと第１室内機制御部１１ａに関する図示と説明を省略する。
【００２２】
次に冷媒回路における冷媒の流れについて説明する。
暖房運転時において、図１の実線矢印で示すように室外機制御部１３は、圧縮機３を経た冷媒が第１室内熱交換器８ａ〜第３室内熱交換器８ｃに流れるように四方弁４を切り替える。暖房運転時には、圧縮機３で高温高圧となったガス冷媒が、室外機ガス管１７ｃとガス管１９ａを経由して第１室内熱交換器８ａ〜第３室内熱交換器８ｃに送られ、室内空気との熱交換により室内空気を加温するとともに、凝縮して高温高圧の液冷媒となる。この際、第１室内熱交換器８ａ〜第３室内熱交換器８ｃはガス冷媒を凝縮させる凝縮器として機能する。この高温高圧の液冷媒は、液管１９ｂを通過した後、室外電子膨張弁６によって減圧されて低温低圧の液冷媒となる。この低温低圧の液冷媒は室外熱交換器５に送られ、室外空気との熱交換により蒸発し、低温低圧のガス冷媒となる。この際、室外熱交換器５は液冷媒を蒸発させる蒸発器として機能する。この低温低圧のガス冷媒は、四方弁４を経て圧縮機３に流入する。
【００２３】
次に図２を用いて本発明の原理を説明する。
図２はサーモオフとなり、室温の検出を開始した時の第２室内機２ｂと第３室内機２ｃが検出した室温信号の変化を示している。図２において横軸はサーモオフとなってから第２室内ファン１０ｂ及び第３室内ファン１０ｃが回転を開始し、第２室温センサ９ｂ及び第３室温センサ９ｃが検出した温度が低下し始めた後からの経過時間（単位：秒）であり、縦軸は各室温センサで検出した温度（単位：℃）である。
【００２４】
ここで、室外機１と第１室内機２ａは暖房運転モードで動作しており、第２室内機２ｂと第３室内機２ｃはサーモオフ状態となっている。図２の実線は第３室内機２ｃにおける室温信号を、破線は第２室内機２ｂにおける室温信号をそれぞれ示している。なお、前述したように暖房運転モードでサーモオフになった場合、サーモオフとなった各室内機はそれぞれの室内機に備えられた第３室内電子膨張弁７ｃ及び第２室内電子膨張弁７ｂを微かに開いて高圧ガス冷媒をわずかに流し、凝縮した液冷媒を回収する。なお、種々の室内機の中には電子膨張弁を備えていない機器も存在するが冷媒の循環経路は同じである。
【００２５】
前述したようにサーモオフ後に第３室温センサ９ｃで検出した温度は実際の室温でなく、温かい冷媒が滞留した第３室内熱交換器８ｃの周囲温度である。従って正確な室温を検出するためには、サーモオフ後であっても第３室内ファン１０ｃを回転させて第３室内機２ｃの筐体内に滞留した暖かい空気を排出する必要がある。このため従来の技術では第３室内機２ｃの筐体内に滞留した暖かい空気を確実に排出するまでの時間を予め確認しておき、諸条件を考慮してマージンを加えた一定時間だけ第３室内ファン１０ｃを回転させていた。つまり、条件によっては滞留した空気を排出して正確に室温を検出できる状態になったにも係わらずに第３室内ファン１０ｃの回転を継続していたことになる。
【００２６】
図２の実線に示すように第３室内機２ｃの第３室温センサ９ｃが検出した２８℃の温度は、第３室内ファン１０ｃの回転による第３室内熱交換器８ｃへの送風により徐々に低下し、第３室内ファン１０ｃの回転開始から４０秒後に２４．８℃、６０秒後に２３．８℃、１６０秒後に２０．１℃、１８０秒後に２０．０℃まで低下している。
【００２７】
ここで、例えば２０秒を単位時間（サンプリング期間）として考えた時の温度傾斜、つまり、サンプリング期間の開始時の温度と終了時の温度差が徐々に縮小し、予め定めた温度差閾値（例えば０．１℃）以内になったら、第３室内機２ｃの筐体内に滞留した暖かい空気を排出して正確に室温を検出できるようになったと判断できる。
【００２８】
具体的には図２の実線で示す第３室内機２ｃで検出した温度において、第３室内ファン１０ｃの回転開始から４０秒後と６０秒後の温度差は１．０℃であり、１６０秒後と１８０秒後の温度差は０．１℃である。つまり、第３室内ファン１０ｃの回転開始から１８０秒後には温度差閾値以内になったので、第３室温センサ９ｃが検出したこの時の温度を実際の室温とすることで正確な室温を得ることができる。
【００２９】
図２の破線で示す第２室内機２ｂで検出した温度も同様であり、第２室内ファン１０ｂの回転開始から３２０秒後には温度差閾値以内になったので、第２室温センサ９ｂが検出したこの時の温度を実際の室温とすることで正確な室温を得ることができる。
このように例え室内機が設置されている部屋の大きさの違いなどがあって温度低下の速度が変化する場合であっても、サンプリング期間毎に検出した室温センサの温度傾斜を確認することで、実際の室温を測定できるタイミングで有るか否かを正確に判断することができる。
【００３０】
この動作を行う室温検出部２０を図３のブロック図に示す。前述したように室温検出部２０は、第３室温センサ９ｃが検出した室温信号（温度）と、サーモオフ管理部３０が出力する室温要求信号が入力されており、室温要求信号に対応して実際の室温を検出して検出室温値としてサーモオフ管理部３０へ出力する。
【００３１】
室温検出部２０は、２０秒（サンプリング期間）を計時するタイマ２１と、室温信号が入力される室温入力部２２と、室温要求信号が入力される指示部２３と、検出された温度を記憶する記憶部２４と、サンプリング期間の前後で検出した温度における温度傾斜が温度差閾値以内になったか否かを判定する判定部２５を備えている。
【００３２】
指示部２３は、室温要求信号が入力されるとモータ駆動信号をローレベル（モータ停止）からハイレベル（モータ回転）にして第３ファンモータ３１ｃを回転させる。一方、タイマ２１は、入力されたモータ駆動信号がローレベルからハイレベルになるとサンプリング期間、つまり２０秒のカウントを開始する。タイマ２１はカウントを開始すると待機時間信号をローレベルからハイレベルにして出力し、カウントが終了すると待機時間信号をハイレベルからローレベルにする。また、タイマ２１はモータ駆動信号がハイレベルとなっている間、２０秒のカウントを繰り返して実行する。
【００３３】
室温入力部２２には室温信号と待機時間信号が入力されており、タイマ２１による２０秒のカウントが終了すると、つまり、待機時間信号がハイレベルからローレベルに変化すると、第３室温センサ９ｃが検出した温度（室温信号）をデジタルの検出温度に変換して検出温度値として取り込む。そして、室温入力部２２は取り込んだ検出温度値を記憶部２４と判定部２５へ出力する。
【００３４】
記憶部２４は検出温度が入力されると、すでに記憶している前回の検出温度値である前回温度値を判定部２５へ出力した後、入力された検出温度値を前回温度値として記憶する。なお、記憶部２４はモータ駆動信号が入力されており、モータ駆動信号がローレベルの時、前回温度値を０℃（初期値）として記憶する。さらに、記憶部２４はモータ駆動信号がハイレベルからローレベルになった時、つまり、排熱が完了した時に入力された検出温度値を検出室温値としてサーモオフ管理部３０へ出力する。
【００３５】
判定部２５は、室温入力部２２で検出された検出温度値が入力された時、同時に記憶部２４から前回温度値が入力される。判定部２５は入力された検出温度値、つまり、第３室温センサ９ｃが検出した現在の温度と、２０秒前に検出された前回温度値との温度差が温度差閾値（例えば０．１℃）以内になったか否かを判定し、温度差閾値以内になった時に排熱完了を意味するパルス信号である排熱完了信号を指示部２３へ出力する。判定部２５は、検出温度値が温度差閾値よりも大きい場合は排熱完了信号をローレベルのままとする。
【００３６】
この排熱完了信号が入力された指示部はモータ駆動信号をハイレベルからローレベルにして出力し、第３ファンモータ３１ｃを停止させる。このモータ駆動信号が入力された記憶部２４は、モータ駆動信号がハイレベルからローレベルになる直前に入力された検出温度値を検出室温値（現在の室温）としてサーモオフ管理部３０へ出力する。
【００３７】
次に第３室内機制御部１１ｃの動作について説明する。
第３室内機制御部１１ｃは、暖房運転又は冷房運転を開始し、室温と設定温度がほぼ等しくなるとサーモオフとする機能を有している。第３室内機制御部１１ｃは、サーモオフとした後、次にサーモオンとするか否かを判断するためサーモオフ管理部３０を起動し、サーモオフ管理部３０は、室温が設定温度よりも一定以上乖離した時を監視する監視動作を開始するようになっている。以後、サーモオフ管理部３０は、室温を定期的に監視して室温が設定温度から一定以上乖離した時にサーモオンとするように第３室内機制御部１１ｃへ指示するものである。また、サーモオフ管理部３０は、第３室温センサ９ｃで検出した室温信号が入力されており、冷房運転時のサーモオフでは室温要求信号を出力せず、サーモオフ管理部３０自身が取り込んだ室温信号をデジタル値に変換し、これを現在の室温として用いる。
【００３８】
次に図４の説明図を用いて室温検出部２０の動作を説明する。
図４において横軸は時間であり、縦軸において図４（１）は第３室温センサ９ｃで検出した温度（室温信号）を、図４（２）はサーモオフ管理部３０が出力する室温要求信号を、図４（３）はモータ駆動信号を、図４（４）は待機時間信号を、図４（５）はサンプリング期間が終了した時に第３室温センサ９ｃで検出した検出温度信号を、図４（６）は記憶部２４が出力する前回温度信号を、図４（７）は排熱完了信号を、図４（８）は記憶部２４が出力する検出室温値を、それぞれ示している。なお、ｔ０〜ｔ１０は時刻である。また、前提条件として室外機１と第１室内機２ａは暖房運転モードで動作しており、第２室内機２ｂと第３室内機２ｃはサーモオフ直後の状態となっている。このため、第３室内ファン１０ｃも停止状態である。
【００３９】
第３室内機制御部１１ｃは第３室内機２ｃがサーモオフ状態になったと判断すると、サーモオフ管理部３０を起動する。サーモオフ管理部３０は、まず最初に、現在の室温を確認するために図４（２）に示すようにｔ１で室温要求信号（パルス信号）を室温検出部２０へ出力する。室温要求信号が入力された室温検出部２０の指示部２３はｔ１でモータ駆動信号をローレベルからハイレベルにして出力し、第３ファンモータ３１ｃを回転させる。
【００４０】
ｔ１でこのモータ駆動信号が入力されたタイマ２１は、ｔ１〜ｔ２、ｔ２〜ｔ４、ｔ４〜ｔ５、・・・と、サンプリング期間（２０秒）毎のパルス信号である待機時間信号を連続的に出力する。なお、ｔ２〜ｔ３はタイマ２１が２０秒のカウントが終了した後、再カウントを開始するまでの準備期間（数マイクロセカンド）である。
【００４１】
室温入力部２２はサンプリング期間の終了時、つまり２０秒が経過する毎に第３室温センサ９ｃで検出した温度（室温信号）を取り込んで検出温度として記憶部２４と判定部２５へ出力する。
図４（１）に示すように室温信号において例えばｔ１は２８℃、ｔ２は２６℃、ｔ４は２４．８℃、ｔ５は２３．８℃、ｔ６は２０．１℃、ｔ７は２０．０℃となっている。記憶部２４は、２０秒前に記憶していた温度を前回温度信号として今回出力するため、図４（６）に示すように前回温度信号はｔ２で初期値の０℃、ｔ４は２６℃、ｔ５は２４．８℃、ｔ６は２０．３℃、ｔ７は２０．１℃となっている。
【００４２】
判定部２５は検出温度値と前回温度値の温度差を算出し、この算出結果と温度差閾値（０．１℃）を２０秒毎に比較して温度差が温度差閾値以内になったと判定したら排熱完了信号を出力する。図４においてこの温度差はｔ２で２６℃、ｔ４は１．２℃、ｔ５は１．０℃、ｔ６は０．２℃、ｔ７は０．１℃となっている。従って判定部２５はｔ７で排熱完了信号を出力する。このため、指示部２３はｔ７でモータ駆動信号をローレベルにして第３ファンモータ３１ｃを停止させ、また、タイマ２１の動作も停止させ、記憶部２４からｔ７で検出した検出温度（２０℃）を現在の室温である検出室温値としサーモオフ管理部３０へ出力させる。
【００４３】
サーモオフ管理部３０は現在の室温が２０℃であり、設定温度（２０℃）と乖離していないためサーモオフ状態を継続させる。このためサーモオフ管理部３０は検出室温値が入力されてから一定期間、例えば３分後に再度、室温検出部２０へ室温要求信号を出力する。ｔ８でこの室温要求信号が入力された室温検出部２０は、ｔ１で説明した動作を繰り返す。前述したように暖房運転モードにおけるサーモオフの期間、第３室内機制御部１１ｃは第３室内電子膨張弁７ｃを少しだけ開いて冷媒が流れるようにしているため、ｔ７で第３ファンモータ３１ｃが停止した後、徐々に室温信号で示される温度が上昇している。ただし、この温度上昇は暖房運転モードからサーモオフ状態になった場合よりも小さいため、ｔ１〜ｔ７までの時間よりも少し短い時間で現在の室温を求めることができる。
【００４４】
以上説明したように、暖房運転時にサーモオフしている第３室内機２ｃの室温検出部２０は、単位時間（２０秒）毎に第３室温センサ９ｃで検出した室温の温度傾斜が予め定めた温度差以内になるまで第３室内ファン１０ｃを回転させた後、第３室温センサ９ｃで室温を検出するため、サーモオフとなった第３室内機２ｃで室温を正確に判断することができる。また、室温を検出するための第３室内ファン１０ｃの運転期間を出来るだけ短くすることができる。
【００４５】
本実施例では各部をハードウェアのブロックとして説明しているが、これに限るものでなく、同等の機能をソフトウェアで実現してもよい。また、室外機や室内機の数は任意の台数であってもよい。
また、本実施例では室温検出手段が室温センサで室温を検出すると共に、送風ファンを停止させている。これにより、必要最小限の期間だけ送風ファンを回転させることで省エネ効果と、繰り返して室温を検出する場合の再検出可能な時間を短縮できる効果を得ることができる。この場合、室温センサの測定精度が問題とならないなら送風ファンの回転停止前に室温を検出してもよいし、また、送風ファンの回転停止後に室温を検出してもよい。
【００４６】
また、本実施例では検出した室温の温度傾斜が一度でも温度差閾値以内になれば室温を検出できたとしている。しかしながら、検出のタイミングや外乱などにより一時的に温度差閾値以内になることが予想される。このため、温度傾斜が温度差閾値以内になった状態が複数回連続した場合を室温の検出タイミングとしてもよい。
【００４７】
または、単位時間（例えば１分間）における室温の温度傾斜の合計値が定めた温度差閾値以内になった場合を室温の検出タイミングとしてもよい。具体的には２０秒毎に１分間で３回検出した室温が０．１１℃、０．０７℃、０．１２℃の場合、この合計値が０．３０℃となり、予め定めた温度差閾値の０．３℃以下となることを判定することで、室温の検出タイミングを知ることができる。
このように複数回の温度傾斜による判定を用いることで、外乱などによる一時的な室温変化を除去して、より正確な室温を検出することができる。
【符号の説明】
【００４８】
１  室外機
２ａ  第１室内機
２ｂ  第２室内機
２ｃ  第３室内機
３  圧縮機
４  四方弁
５  室外熱交換器
５ａ  室外ファン
６  室外電子膨張弁
７ａ  第１室内電子膨張弁
７ｂ  第２室内電子膨張弁
７ｃ  第３室内電子膨張弁
８ａ  第１室内熱交換器
８ｂ  第２室内熱交換器
８ｃ  第３室内熱交換器
９ａ  第１室温センサ
９ｂ  第２室温センサ
９ｃ  第３室温センサ
１０ａ  第１室内ファン
１０ｂ  第２室内ファン
１０ｃ  第３室内ファン
１１ａ  第１室内機制御部
１１ｂ  第２室内機制御部
１１ｃ  第３室内機制御部
１２  アキュムレータ
１３  室外機制御部
１４  液側操作弁
１５  ガス側操作弁
１６  レシーバ
１７ａ  吐出管
１７ｂ  吸入管
１７ｃ  室外機ガス管
１８ａ  室外機液管
１８ｂ  室外機ガス管
１８ｃ  室外機ガス管
１９ａ  ガス管
１９ｂ  液管
２０  室温検出部（室温検出手段）
２１  タイマ
２２  室温入力部
２３  指示部
２４  記憶部
２５  判定部
３０  サーモオフ管理部
３１ａ  第１ファンモータ
３１ｂ  第２ファンモータ
３１ｃ  第３ファンモータ
４０  マルチ型空気調和機
【図１】
2020051629.tif 000003
【図２】
2020051629.tif 000004
【図３】
2020051629.tif 000005
【図４】
2020051629.tif 000006